(57)【要約】      （修正有）【課題】熱転写プリンタに供給側ボビンおよび巻取側ボビンを容易に装着するすることができるボビンとプリンタの組合体およびボビンを提供する。【解決手段】ボビンとプリンタの組合体は、一対の端部２２ａ、２２ｂを有しインクリボン３をロール状に巻取る円筒状の巻取側ボビン２０と、一対の端部２２ａ、２２ｂを支持する支持部４１ａ、４１ｂを有する熱転写プリンタとを備えている。巻取側ボビン２０の端部２２ａ、２２ｂに第１傾斜面２３ａ、２３ｂが形成され、支持部４１ａ、４１ｂに第２傾斜面４３ａ、４３ｂが形成されている。第１傾斜面２３ａ、２３ｂに切欠き２５ａ、２５ｂが設けられ、第２傾斜面４３ａ、４３ｂに切欠き２５ａ、２５ｂに嵌合する突起４５ａ、４５ｂが設けられている。【選択図】図１
2016060165.tif 000002
【特許請求の範囲】
【請求項１】
一対の端部を有し熱転写シートを供給し、あるいは巻取る細長状の円筒状ボビンと、
前記ボビンの一対の端部を支持する一対の支持部を有するプリンタとを備え、
前記ボビンの各端部はボビンの軸線に対して傾斜する第１傾斜面を有し、各端部に対応する支持部は、前記第１傾斜面に当接するとともに、ボビンの軸方向に傾斜する第２傾斜面を有し、
前記第１傾斜面に係合部が設けられ、前記第２傾斜面に前記係合部に係合して各端部とこれに対応する支持部とを回転方向に係止する係止部が設けられていることを特徴とするボビンとプリンタの組合体。
【請求項２】
一対の端部の第１傾斜面は、先細状に構成されていることを特徴とする請求項１記載のボビンとプリンタの組合体。
【請求項３】
一対の端部の第１傾斜面は、互いに平行となっていることを特徴とする請求項１記載のボビンとプリンタの組合体。
【請求項４】
一対の端部を有し熱転写シートを供給し、あるいは巻取る細長状の円筒状ボビンにおいて、
前記ボビンの各端部はボビンの軸線に対して傾斜する第１傾斜面を有し、この第１傾斜面にプリンタ側の係止部と係合する係合部が設けられていることを特徴とするボビン。
【請求項５】
一対の端部の第１傾斜面は、先細状に構成されていることを特徴とする請求項４記載のボビン。
【請求項６】
一対の端部の第１傾斜面は、互いに平行となっていることを特徴とする請求項４記載のボビン。
【発明の詳細な説明】
【技術分野】
【０００１】
本発明は、熱転写シートを巻取るボビンと、プリンタとを備えたボビンとプリンタの組合体に関する。
【背景技術】
【０００２】
インクリボン（熱転写シート）を用いて、受像シートなどの被転写体に文字や画像等を印字する熱転写プリンタが、広く普及している。インクリボンは、帯状に延びるリボン（支持層）と、リボン上に形成され、染料等を含んだインク層と、を有している。このようなインクリボンは、熱転写プリンタに装着された供給側ボビンに取付けられて巻付けられ、この供給側ボビンから供給され、使用済のインクリボンは同じく熱転写プリンタに装着された巻取側ボビンに巻取られる。
【０００３】
ところで供給側ボビンおよび巻取側ボビンは、いずれも一対の端部をもつ円筒状ボビンとなっていて、熱転写プリンタの支持部に支持される。このような場合、供給側ボビンおよび巻取側ボビンを熱転写プリンタに容易に装着することが求められている。
【先行技術文献】
【特許文献】
【０００４】
【特許文献１】特開平９−２２１２７５号公報
【発明の概要】
【発明が解決しようとする課題】
【０００５】
本発明は、このような点を考慮してなされたものであり、プリンタにボビンを容易に装着することができるボビンとプリンタの組合体およびボビンを提供することを目的とする。
【課題を解決するための手段】
【０００６】
本発明は、一対の端部を有し熱転写シートを供給し、あるいは巻取る細長状の円筒状ボビンと、前記ボビンの一対の端部を支持する一対の支持部を有するプリンタとを備え、前記ボビンの各端部はボビンの軸線に対して傾斜する第１傾斜面を有し、各端部に対応する支持部は、前記第１傾斜面に当接するとともに、ボビンの軸方向に傾斜する第２傾斜面を有し、前記第１傾斜面に係合部が設けられ、前記第２傾斜面に前記係合部に係合して各端部とこれに対応する支持部とを回転方向に係止する係止部が設けられていることを特徴とするボビンとプリンタの組合体である。
【０００７】
本発明は、一対の端部の第１傾斜面は、先細状に構成されていることを特徴とするボビンとプリンタの組合体である。
【０００８】
本発明は、一対の端部の第１傾斜面は、互いに平行となっていることを特徴とするボビンとプリンタの組合体である。
【０００９】
本発明は、一対の端部を有し熱転写シートを供給し、あるいは巻取る細長状の円筒状ボビンにおいて、前記ボビンの各端部はボビンの軸線に対して傾斜する第１傾斜面を有し、この第１傾斜面にプリンタ側の係止部と係合する係合部が設けられていることを特徴とするボビンである。
【００１０】
本発明は、一対の端部の第１傾斜面は、先細状に構成されていることを特徴とするボビンである。
【００１１】
本発明は、一対の端部の第１傾斜面は、互いに平行となっていることを特徴とするボビンである。
【発明の効果】
【００１２】
本発明によれば、プリンタにボビンを容易に装着することができる。
【図面の簡単な説明】
【００１３】
【図１】図１は本発明によるボビンとプリンタの組合体の第１の実施の形態を示す概略斜視図。
【図２】図２は本発明によるボビンとプリンタの組合体の第１の実施の形態を示す平面図。
【図３】図３（ａ）はボビンとプリンタの組合体の第２の実施の形態を示す側面図、図３（ｂ）は図３（ａ）のＢ部の平面図。
【図４】図４はボビンとプリンタの組合体の第３の実施の形態を示す概略斜視図。
【発明を実施するための形態】
【００１４】
＜第１の実施の形態＞
以下、図面を参照して本発明の第１の実施の形態について説明する。
【００１５】
図１および図２は、本発明の第１の実施の形態を示す図である。
【００１６】
まず図２により熱転写プリンタ５０に装着されたリボンカートリッジ１について説明する。
【００１７】
リボンカートリッジ１は、供給側ボビン１０と、巻取側ボビン２０と、これら供給側ボビン１０および巻取側ボビン２０を収納する収納ケース２とを備え、供給側ボビン１０と巻取側ボビン２０との間に支持層とインク層とを有するインクリボン（熱転写シート）３が設けられている。このインクリボン３は供給側ボビン１０と巻取側ボビン２０に各々取付けられている。
【００１８】
このような構成からなるリボンカートリッジ１のうち、巻取側ボビン２０は一対の端部２２ａ、２２ｂを有し、使用済のインクリボン３をロール状に巻取るものであり、細長状に延びる円筒体からなる。図１に示すように、巻取側ボビン２０は熱転写プリンタ５０内に装着され、この場合、巻取側ボビン２０の一方の端部２２ａは熱転写プリンタ５０の支持部４１ａに支持され、他方の端部２２ｂは熱転写プリンタ５０の支持部４１ｂに支持されている。
【００１９】
なお、熱転写プリンタ５０の支持部４１ａ、４１ｂのうち、一方の支持部４１ａは駆動機構４０ａを構成しており、この一方の支持部４１ａから巻取側ボビン２０に駆動力を伝えることができる。また他方の支持部４１ｂは軸受機構４０ｂを構成し、巻取側ボビン２０に駆動力を与えることなく巻取側ボビン２０を回転可能に保持している。
【００２０】
さらにまた、各支持部４１ａ、４１ｂは、いずれも熱転写プリンタ５０の本体に対して軸方向に移動可能となっている。
【００２１】
そして一対の端部２２ａ、２２ｂを有する巻取側ボビン２０によって本発明によるボビンが構成され、一対の端部２２ａ、２２ｂを有する巻取側ボビン２０と、一対の支持部４１ａ、４１ｂを有する熱転写プリンタ５０とによって、本発明によるボビンとプリンタの組合体が構成されている。
【００２２】
次にリボンカートリッジ１の供給側ボビン１０について説明する。供給側ボビン１０は、一対の端部１２ａ、１２ｂを有し、インクリボン３を供給するものであり、細長状に延びる円筒体からなる。図２に示すように、供給側ボビン１０は熱転写プリンタ５０内に装着され、この場合、供給側ボビン１０の一対の端部１２ａは熱転写プリンタ５０の支持部３１ａに支持され、他方の端部１２ｂは熱転写プリンタ５０の支持部３１ｂに支持されている。
【００２３】
なお、熱転写プリンタ５０の支持部３１ａ、３１ｂのうち、一方の支持部３１ａは駆動機構３０ａを構成しており、この一方の支持部３１ａから供給側ボビン１０に駆動力を伝えることができる。また他方の支持部３１ｂは軸受機構３０ｂを構成し、供給側ボビン１０に駆動力を与えることなく供給側ボビン１０を回転可能に保持している。
【００２４】
さらにまた、各支持部３１ａ、３１ｂは、いずれも熱転写プリンタ５０の本体に対して軸方向に移動可能となっている。
【００２５】
そして一対の端部１２ａ、１２ｂを有する供給側ボビン１０によって本発明によるボビンが構成され、一対の端部２２ａ、２２ｂを有する巻取側ボビン２０と一対の支持部３１ａ、３１ｂを有する熱転写プリンタとによって本発明によるボビンとプリンタの組合体が構成されている。
【００２６】
次に供給側ボビン１０および巻取側ボビン２０と、熱転写プリンタ５０の取付構造について、図１および図２により更に述べる。
【００２７】
すなわち、供給側ボビン１０の各端部１２ａ、１２ｂは、ボビン１０の軸線に対して傾斜する第１傾斜面１３ａ、１３ｂを有している。また各端部２２ａ、２２ｂに対応する熱転写プリンタ５０の支持部３１ａ、３１ｂは、第１傾斜面１３ａ、１３ｂに当接するとともにボビン１０の軸線に対して傾斜する第２傾斜面３３ａ、３３ｂを有している。
【００２８】
また巻取側ボビン２０の各端部２２ａ、２２ｂは、ボビン２０の軸線に対して傾斜する第１傾斜面２３ａ、２３ｂを有している。また各端部２２ａ、２２ｂに対応する熱転写プリンタ５０の支持部４１ａ、４１ｂは第１傾斜面２３ａ、２３ｂに当接するとともにボビン２０の軸線に対して傾斜する第２傾斜面４３ａ、４３ｂを有している。
【００２９】
次に供給側ボビン１０および巻取側ボビン２０と、熱転写プリンタ５０の取付構造について更に述べる。
【００３０】
供給側ボビン１０および巻取側ボビン２０と、熱転写プリンタ５０の取付構造は、略同一となっているため、ここでは巻取側ボビン２０と熱転写プリンタ５０の取付構造について、図１により詳述する。
【００３１】
図１に示すように、巻取側ボビン２０の各端部２２ａ、２２ｂは、いずれも第１傾斜面２３ａ、２３ｂを有し、この第１傾斜面２３ａ、２３ｂは熱転写プリンタ５０の支持部４１ａ、４１ｂの第２傾斜面４３ａ、４３ｂと当接するようになっている。
【００３２】
この場合、一対の端部２２ａ、２２ｂの第１傾斜面２３ａ、２３ｂは、同一角度をもって先細状に構成されている。同様に一対の支持部４１ａ、４１ｂの第２傾斜面４３ａ、４３ｂは、同一角度をもって先細状に構成されている。
なお、巻取側ボビン２０を取り付ける際の左右取り違い防止の観点から、一対の端部２２ａ、２２ｂの第１傾斜面２３ａ、２３ｂは、互いに異なる角度をもって先細状に構成されていてもよく、同様に一対の支持部４１ａ、４１ｂの第２傾斜面４３ａ、４３ｂも、互いに異なる角度をもって先細状に構成されていてもよい。
【００３３】
さらにまた巻取側ボビン２０の各端部２２ａ、２２ｂには、内周面に開口する切欠け（係合部）２５ａ、２５ｂが設けられている。さらに熱転写プリンタ５０の各支持部４１ａ、４１ｂには、各端部２２ａ、２２ｂの第１傾斜面２３ａ、２３ｂが対応する支持部４１ａ、４１ｂの第２傾斜面４３ａ、４３ｂに当接した場合に切欠け２５ａ、２５ｂに嵌合して、各端部２２ａ、２２ｂと支持部４１ａ、４１ｂを回転方向に係止する突起（係止部）４５ａ、４５ｂが設けられている。
【００３４】
次にこのような構成からなる本実施の形態の作用について説明する。
【００３５】
まずインクリボン３が巻付けられた供給側ボビン１０と、巻取側ボビン２０とを準備する。この場合、インクリボン３はタッチローラを用いて、供給側ボビン１０に押付けられて巻付けられる。
【００３６】
次に供給側ボビン１０と巻取側ボビン２０とを収納ケース２内に装着し、このようにして収納ケース２と、インクリボン３が巻付けられた供給側ボビン１０および巻取側ボビン２０とを有するリボンカートリッジ１が得られる。
【００３７】
次にリボンカートリッジ１は熱転写プリンタ５０の装着部５０Ａに装着される。この場合、リボンカートリッジ１の巻取側ボビン２０は、熱転写プリンタ５０の支持部４１ａ、４１ｂと同一軸線上に並び、供給側ボビン１０は熱転写プリンタ５０の支持部３１ａ、３１ｂと同一軸線上に並ぶ。
【００３８】
このとき、熱転写プリンタ５０の一対の支持部４１ａ、４１ｂは図示しないスプリングの力に抗して巻取側ボビン２０に対して両側に引込み、一対の支持部３１ａ、３１ｂも図示しないスプリングの力に抗して供給側ボビン１０に対して両側へ引込んでいる。
【００３９】
そして巻取側ボビン２０と供給側ボビン１０を熱転写プリンタ５０の特定方向に対して、巻取側ボビン２０および供給側ボビン１０の第１傾斜面２３ａ、２３ｂおよび第１傾斜面１３ａ、１３ｂの先細方向（ボビン挿入方向）に沿って挿入する。
【００４０】
このことにより熱転写プリンタ５０の特定方向に対して巻取側ボビン２０および供給側ボビン１０を所望の回転方向位置に容易かつ確実に配置することができる。
【００４１】
この場合、熱転写プリンタ５０の支持部４１ａ、４１ｂの第２傾斜面４３ａ、４３ｂは巻取側ボビン２０の端部２２ａ、２２ｂの第１傾斜面２３ａ、２３ｂと同一方向を向き、支持部３１ａ、３１ｂの第２傾斜面３３ａ、３３ｂは供給側ボビン１０の端部１２ａ、１２ｂの第１傾斜面１３ａ、１３ｂと同一方向を向いている。
【００４２】
次に一対の支持部４１ａ、４１ｂがスプリングの力により巻取側ボビン２０側へ押付けられて、一対の支持部４１ａ、４１ｂの第２傾斜面４３ａ、４３ｂが巻取側ボビン２０の両端部２２ａ、２２ｂの第１傾斜面２３ａ、２３ｂに当接する。このとき各支持部４１ａ、４１ｂに設けられた突起４５ａ、４５ｂが巻取側ボビン２０の端部２２ａ、２２ｂに設けられた切欠け２５ａ、２５ｂ内に挿入され、巻取側ボビン２０の各端部２２ａ、２２ｂは一対の支持部４１ａ、４１ｂに対して回転方向に規制される。
【００４３】
同様に一対の支持部３１ａ、３１ｂがスプリングの力により供給側ボビン１０側へ押付けられて、一対の支持部３１ａ、３１ｂの第２傾斜面３３ａ、３３ｂが供給側ボビン１０の両端部１２ａ、１２ｂの第１傾斜面１３ａ、１３ｂに当接する。このとき各支持部３１ａ、３１ｂに設けられた突起３５ａ、３５ｂが供給側ボビン１０の端部１２ａ、１２ｂに設けられた切欠け１５ａ、１５ｂ内に挿入され、供給側ボビン１０は一対の支持部３１ａ、３１ｂに対して回転方向に規制される。
【００４４】
次に供給側ボビン１０が駆動機構３０ａにより駆動され、巻取用ボビン２０が駆動機構４０ａにより駆動され、供給側ボビン１０に巻付けられていたインクリボン３が供給される。次に供給側リボン１０と巻取側リボン２０との間に延びるインクリボン３がサーマルヘッド（図示せず）により加熱され、インクリボン３のインクが受像シート（図示せず）に転写され、このようにして熱転写作業が行なわれる。
【００４５】
熱転写作業が終了した後、熱転写プリンタ５０からリボンカートリッジ１が取外され、さらにリボンカートリッジ１から供給側ボビン１０、巻取側ボビン２０およびインクリボン３が取外される。
【００４６】
以上のように、本実施の形態によれば、巻取側ボビン２０と供給側ボビン１０を熱転写プリンタ５０の特定方向に対して、巻取側ボビン２０および供給側ボビン１０の第１傾斜面２３ａ、２３ｂおよび第１傾斜面１３ａ、１３ｂの先細方向に沿って挿入することにより、熱転写プリンタ５０に対して巻取側ボビン２０および供給側ボビン１０を所望の回転方向位置に配置することができる。このため巻取側ボビン２０と供給側ボビン１０を熱転写プリンタ５０に対して容易かつ確実に装着することができる。
【００４７】
＜第２の実施の形態＞
次に図３（ａ）（ｂ）によって本発明の第２の実施の形態について説明する。図３（ａ）（ｂ）に示す第２の実施の形態は、供給側ボビン１０および巻取側ボビン２０と、熱転写プリンタ５０の取付構造が異なるのみであり、他の構成は図１および図２に示す第１の実施の形態と略同一である。
【００４８】
図３（ａ）（ｂ）において、図１および図２に示す第１の実施の形態と同一部分には同一符号を付して詳細な説明は省略する。
【００４９】
図３（ａ）（ｂ）に示すように、巻取側ボビン２０の各端部２２ａ、２２ｂは、ボビン２０の軸線に対して傾斜する第１傾斜面２３ａ、２３ｂを有している。また各端部２２ａ、２２ｂに対応する熱転写プリンタ５０の支持部４１ａ、４１ｂは第１傾斜面２３ａ、２３ｂに当接するとともにボビン２０の軸線に対して傾斜する第２傾斜面４３ａ、４３ｂを有している。
【００５０】
次に供給側ボビン１０および巻取側ボビン２０と、熱転写プリンタ５０の取付構造について更に述べる。
【００５１】
供給側ボビン１０および巻取側ボビン２０と、熱転写プリンタ５０の取付構造は、略同一となっているため、ここでは巻取側ボビン２０と熱転写プリンタ５０の取付構造について、図３（ａ）（ｂ）により詳述する。
【００５２】
図３（ａ）（ｂ）に示すように、巻取側ボビン２０の各端部２２ａ、２２ｂは、いずれも第１傾斜面２３ａ、２３ｂを有し、この第１傾斜面２３ａ、２３ｂは熱転写プリンタ５０の支持部４１ａ、４１ｂの第２傾斜面４３ａ、４３ｂと当接するようになっている。
【００５３】
この場合、一対の端部２２ａ、２２ｂの第１傾斜面２３ａ、２３ｂは、同一角度をもって先細状に構成されている。同様に一対の支持部４１ａ、４１ｂの第２傾斜面４３ａ、４３ｂは、同一角度をもって先細状に構成されている。
なお、巻取側ボビン２０を取り付ける際の左右取り違い防止の観点から、一対の端部２２ａ、２２ｂの第１傾斜面２３ａ、２３ｂは、互いに異なる角度をもって先細状に構成されていてもよく、同様に一対の支持部４１ａ、４１ｂの第２傾斜面４３ａ、４３ｂも、互いに異なる角度をもって先細状に構成されていてもよい。
【００５４】
さらにまた巻取側ボビン２０の各端部２２ａ、２２ｂには、軸方向内方へ引っ込む溝部（係合部）２７ａ、２７ｂが設けられている。さらに熱転写プリンタ５０の各支持部４１ａ、４１ｂには、各端部２２ａ、２２ｂの第１傾斜面２３ａ、２３ｂが対応する支持部４１ａ、４１ｂの第２傾斜面４３ａ、４３ｂに当接した場合に溝部２７ａ、２７ｂに嵌合して、各端部２２ａ、２２ｂと支持部４１ａ、４１ｂを回転方向に係止する突出部（係止部）４７ａ、４７ｂが設けられている。
【００５５】
次にこのような構成からなる本実施の形態の作用について説明する。
【００５６】
一対の支持部４１ａ、４１ｂがスプリングの力により巻取側ボビン２０側へ押付けられて、一対の支持部４１ａ、４１ｂの第２傾斜面４３ａ、４３ｂが巻取側ボビン２０の両端部２２ａ、２２ｂの第１傾斜面２３ａ、２３ｂに当接する。このとき各支持部４１ａ、４１ｂに設けられた突出部４７ａ、４７ｂが巻取側ボビン２０の端部２２ａ、２２ｂに設けられた溝部２７ａ、２７ｂ内に嵌合され、巻取側ボビン２０の各端部２２ａ、２２ｂは一対の支持部４１ａ、４１ｂに対して回転方向に規制される。
【００５７】
＜第３の実施の形態＞
次に図４によって本発明の第３の実施の形態について説明する。図４に示す第３の実施の形態は、供給側ボビン１０および巻取側ボビン２０と、熱転写プリンタ５０の取付構造が異なるのみであり、他の構成は図１および図２に示す第１の実施の形態と略同一である。
【００５８】
図４において、図１および図２に示す第１の実施の形態と同一部分には同一符号を付して詳細な説明は省略する。
【００５９】
ここで、供給側ボビン１０および巻取側ボビン２０と、熱転写プリンタ５０の取付構造は、略同一となっているため、ここでは巻取側ボビン２０と熱転写プリンタ５０の取付構造について、図４により詳述する。
【００６０】
図４に示すように、巻取側ボビン２０の各端部２２ａ、２２ｂは、いずれもボビン２０の軸線に対して傾斜するとともに互いに平行となる第１傾斜面２３ａ、２３ｂを有している。この第１傾斜面２３ａ、２３ｂは熱転写プリンタ５０の支持部４１ａ、４１ｂの第２傾斜面４３ａ、４３ｂと当接するようになっている。
【００６１】
この場合、一対の端部２２ａ、２２ｂの第１傾斜面２３ａ、２３ｂは、ボビン２０の軸線に対して傾斜するとともに、互いに平行になるよう構成されている。同様に一対の支持部３１ａ、３１ｂの第２傾斜面４３ａ、４３ｂは、ボビン２０の軸線に対して傾斜するとともに互いに平行になるよう構成されている。
【００６２】
さらにまた巻取側ボビン２０の各端部２２ａ、２２ｂには、内周面に開口する切欠け（係合部）２５ａ、２５ｂが設けられている。さらに熱転写プリンタ５０の各支持部４１ａ、４１ｂには、各端部２２ａ、２２ｂの第１傾斜面２３ａ、２３ｂが対応する支持部４１ａ、４１ｂの第２傾斜面４３ａ、４３ｂに当接した場合に切欠け２５ａ、２５ｂに嵌合して、各端部２２ａ、２２ｂと支持部４１ａ、４１ｂを回転方向に係止する突起（係止部）４５ａ、４５ｂが設けられている。
【００６３】
次にこのような構成からなる本実施の形態の作用について説明する。
一対の支持部４１ａ、４１ｂがスプリングの力により巻取側ボビン２０側へ押付けられて、一対の支持部４１ａ、４１ｂの第２傾斜面４３ａ、４３ｂが巻取側ボビン２０の両端部２２ａ、２２ｂの第１傾斜面２３ａ、２３ｂに当接する。このとき各支持部４１ａ、４１ｂに設けられた突起４５ａ、４５ｂが巻取側ボビン２０の端部２２ａ、２２ｂに設けられた切欠け２５ａ、２５ｂ内に挿入され、巻取側ボビン２０の各端部２２ａ、２２ｂは一対の支持部４１ａ、４１ｂに対して回転方向に規制される。
【符号の説明】
【００６４】
１  リボンカートリッジ
２  収納ケース
３  インクリボン
１０  供給側ボビン
１２ａ、１２ｂ  端部
１３ａ、１３ｂ  第１傾斜面
２０  巻取側ボビン
２２ａ、２２ｂ  端部
２３ａ、２３ｂ  第２傾斜面
２５ａ、２５ｂ  切欠け
２７ａ、２７  溝部
３０ａ  駆動機構
３０ｂ  軸受機構
３１ａ  支持部
３１ｂ  支持部
４０ａ  駆動機構
４０ｂ  軸受機構
４１ａ  支持部
４１ｂ  支持部
４５ａ、４５ｂ  突起
４７ａ、４７ｂ  突出部
５０  熱転写プリンタ
５０Ａ  装着部
【図１】
2016060165.tif 000003
【図２】
2016060165.tif 000004
【図３】
2016060165.tif 000005
【図４】
2016060165.tif 000006